【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
車両鍵及びドッキングステーションを備えるシステムであって、
各車両鍵は、車両と前記ドッキングステーションとに接続するためのノードを有する電子デバイスを備え、
前記ドッキングステーションは、前記車両鍵を収容するためのポートと、前記車両鍵と接続するための少なくとも第１のノードとを有し、
前記車両鍵の第１の鍵は、第１の車両に割り当てられ、且つ、前記第１の車両鍵と第２の車両鍵が、前記ドッキングステーションのポートに接続されたとき、前記第１の鍵が、前記第１の車両に割り当てられた前記第２の車両鍵を検出するように構成された、システム。
【請求項２】
前記第１と前記第２の車両鍵が、各前記第１と前記第２の車両鍵に保存された車両システムデータを同期するように構成され、前記第１と第２の車両鍵の両方が、前記ドッキングステーションの前記ポートに接続せれたとき、各前記第１と第２の車両鍵の前記車両システムデータを前記車両システムデータの最新のバージョンに更新する、請求項１に記載のシステム。
【請求項３】
各車両鍵が、前記ドッキングステーションのポートに接続されたとき、前記ドッキングステーションの第２のノードに接続されたプロセッサシステムとその車両システムデータを同期させるように構成された請求項１又は２に記載のシステム。
【請求項４】
前記第１と第２の車両鍵が、サービスプロバイダネットワークを経由してその車両システムデータを同期するように構成され、前記第１の車両鍵が前記ドッキングステーションのポートに接続され、且つ前記第２の車両鍵が前記車両で使用されているとき、各前記第１及び第２の車両鍵の前記車両システムデータを最新のものに更新する、請求項１乃至３のうちいずれか１項記載のシステム。
【請求項５】
各車両鍵は、前記ドッキングステーションを経由して、その車両システムデータのバックアップのためにサービスプロバイダネットワークに接続するように構成されている、請求項１乃至４のうちいずれか１項記載のシステム。
【請求項６】
前記車両鍵が、車両システムデータ、ＩＤデータ及びオーディオ／ビデオデータを保存するためのメモリを有し、
前記ＩＤデータは、前記プロセッサシステム及び前記車両鍵の一つが割り当てられている車両へ、前記車両鍵の一つのユーザを識別する、請求項１乃至５のうちいずれか１項記載のシステム。
【請求項７】
前記システムは、少なくとも２つの車両鍵を有し、
前記ドッキングステーションは、同じ車両の第２の車両鍵と接続するための前記システムの各車両鍵のためのポートを有し、
各ポートは、前記車両鍵の一つの収容のための空洞を含む、請求項１乃至６のうちいずれか１項記載のシステム。
【請求項８】
前記プロセッサシステムは、ホームネットワーク又は企業のコンピュータである、請求項１乃至７のうちいずれか１項記載のシステム。
【請求項９】
車両鍵を備える電子デバイスであって、
プロセッサと、
両方の車両鍵がドッキングステーションのポートに接続されているとき、同じ車両の第２の車両鍵を検出する発見プロトコルを保存するメモリと、
車両と及びドッキングステーションと接続するためのノードと、
を備える、電子デバイス。
【請求項１０】
前記車両鍵は、両方の前記車両鍵が前記ドッキングステーションのポートに置かれているとき、そのメモリに保存された車両システムデータと前記第２の車両鍵を同期するように構成され、前記車両鍵の一方の前記車両システムデータを前記車両システムデータの最新のバージョンに更新する、請求項９に記載の電子デバイス。
【請求項１１】
前記車両鍵が前記システムのためのプロセッサ及びメモリを有する、請求項１乃至８のうちいずれか１項記載のシステム。
【請求項１２】
プロセッサと、
メモリと、
少なくとも１つの車両鍵を収容するポートと、
前記車両鍵と接続するための少なくとも第１のノードと、
ホームネットワークと接続するための少なくとも第２のノードと、
を備えるドッキングステーション。
【請求項１３】
車両の第１及び第２の車両鍵の間で車両システムデータの同期を行う方法であって、各車両鍵は、前記車両とドッキングステーションとに接続するための無線ノードを有する電子デバイスを備え、
前記車両鍵は、他の車両鍵を検出し、
前記車両の車両システムデータを同期し、両方の車両鍵が前記ドッキングステーションのポートに置かれているとき、各前記第１及び第２の車両鍵の前記車両システムデータを、前記車両システムデータの最新のバージョンに更新する、方法。
【請求項１４】
請求項１３に記載の方法を実行する実行可能なプログラムコードを含む、コンピュータプログラム。
【請求項１５】
請求項１３に記載の方法を実行する実行可能なプログラムコードを含む、プロセッサによって読取可能な非一時的プログラム記憶媒体。
【手続補正２】
【補正対象書類名】明細書
【補正対象項目名】００３６
【補正方法】変更
【補正の内容】
【００３６】
本開示の教示を具体化する実施形態が本明細書に詳細に示され、説明されているが、当業者であれば依然としてこれらの教示を具体化する多くの他の変更された実施形態をすぐに考案することができる。好ましい実施形態を説明したが（説明の役に立つ目的であり、限定する意図ではなく）、改良や変更は上述の技術を踏まえて当業者によって行われ得ることに留意されたい。したがって、本開示の範囲内で開示された開示の特定の実施形態における修正もすることができることを理解されたい。
上述の実施形態の一部又は全部は、以下の付記のように記載され得るが、以下には限定されない。
（付記１）
車両鍵（Ｋ１−Ｋｎ）及びドッキングステーション（２）を備えるシステムであって、
各車両鍵は、車両と及びドッキングステーションと接続するためのノードを有し、
ドッキングステーションは、車両鍵を収容するためのポート（Ｐ１−Ｐｎ）と、車両鍵と接続するための少なくとも第１のノードとを有し、
車両鍵の第１の鍵（Ｋ１）は、第１の車両（Ｃ１）に割り当てられ、且つ、第１の車両鍵と第２の車両鍵が、ドッキングステーションのポートに接続されたとき、第１の鍵が、第１の車両（Ｃ１）に割り当てられた第２の車両鍵（Ｋ２）を検出するように構成されたシステム。
（付記２）
第１と第２の車両鍵が、各第１と第２の車両鍵に保存された車両システムデータを同期するように構成され、第１と第２の車両鍵の両方が、ドッキングステーションのポートに接続せれたとき、各第１と第２の車両鍵の車両システムデータを車両システムデータの最新のバージョンに更新する、付記１に記載のシステム。
（付記３）
各車両鍵が、ドッキングステーションのポートに接続されたとき、ドッキングステーションの第２のノードに接続されたプロセッサシステム（５）とその車両システムデータを同期させるように構成された付記１又は２に記載のシステム。
（付記４）
第１と第２の車両鍵が、サービスプロバイダネットワークを経由してその車両システムデータを同期するように構成され、第１の車両鍵がドッキングステーションのポートに接続され、且つ第２の車両鍵が車両で使用されているとき、各第１及び第２の車両鍵の車両システムデータを最新のものに更新する、付記１乃至３のうちいずれか１項記載のシステム。
（付記５）
各車両鍵は、ドッキングステーションを経由して、その車両システムデータのバックアップのためにサービスプロバイダネットワークに接続するように構成されている、付記１乃至４のうちいずれか１項記載のシステム。
（付記６）
車両鍵が、車両システムデータ、ＩＤデータ及びオーディオ／ビデオデータを保存するためのメモリを有し、
ＩＤデータは、プロセッサシステム及び車両鍵の一つが割り当てられている車両へ、車両鍵の一つのユーザを識別する、付記１乃至５のうちいずれか１項記載のシステム。
（付記７）
システムは、少なくとも２つの車両鍵を有し、
ドッキングステーションは、同じ車両の第２の車両鍵と接続するためのシステムの各車両鍵のためのポートを有し、
各ポートは、車両鍵の一つの収容のための空洞を含む、付記１乃至６のうちいずれか１項記載のシステム。
（付記８）
プロセッサシステムは、ホームネットワーク又は企業のコンピュータである、付記１乃至７のうちいずれか１項記載のシステム。
（付記９）
プロセッサと、
両方の車両鍵がドッキングステーションのポートに接続されているとき、同じ車両の第２の車両鍵を検出する発見プロトコルを保存するメモリと、
車両と及びドッキングステーションと接続するためのノードと、
を備える、車両鍵。
（付記１０）
車両鍵は、両方の車両鍵がドッキングステーションのポートに置かれているとき、そのメモリに保存された車両システムデータと第２の車両鍵を同期するように構成され、車両鍵の一方の車両システムデータを車両システムデータの最新のバージョンに更新する、付記９に記載の車両鍵。
（付記１１）
車両鍵が前記システムのためのプロセッサ及びメモリを有する、付記１乃至８のうちいずれか１項記載のシステム。
（付記１２）
プロセッサと、
メモリと、
少なくとも１つの車両鍵を収容するポート（Ｐ１−Ｐｎ）と、
車両鍵と接続するための少なくとも第１のノードと、
ホームネットワークと接続するための少なくとも第２のノードと、
を備えるドッキングステーション。
（付記１３）
車両の第１及び第２の車両鍵の間で車両システムデータの同期を行う方法であって、各車両鍵は、車両と及びドッキングステーションと接続するための無線ノードを有し、
車両鍵は、他の車両鍵を検出し、
車両の車両システムデータを同期し、両方の車両鍵がドッキングステーションのポートに置かれているとき、各第１及び第２の車両鍵の車両システムデータを、車両システムデータの最新のバージョンに更新する、方法。
（付記１４）
付記１３に記載の方法を実行する実行可能なプログラムコードを含む、コンピュータプログラム。
（付記１５）
付記１３に記載の方法を実行する実行可能なプログラムコードを含む、プロセッサによって読取可能な非一時的プログラム記憶媒体。